(57)【要約】【課題】操作画面の入力操作の形式によらずエラー画面が表示された場合でも、ユーザーが直感的に対応することができ、容易に操作を継続させることができる画像形成装置、表示方法を提供することである。【解決手段】画像形成装置は、画像形成装置の操作画面に表示する表示手段と、操作画面に対するユーザーの操作を検出する操作検出手段と画像形成装置にエラーが生じたことを検知するエラー検知手段と、操作検出手段で検出したユーザーの操作に基づき、表示手段での表示を制御する制御手段とを備える。制御手段は、エラー検知手段がエラーを検知した場合、操作画面に少なくとも一部に重ねてエラー画面を表示手段に表示し、エラーが生じる前の操作画面で使用されていた入力操作の形式と同一の形式で、エラー画面に対するユーザーの操作を操作検出手段により検出し検出結果に基づき、表示手段での表示を制御する。【選択図】図８
2020155885.tif 000002
【特許請求の範囲】
【請求項１】
入力操作の形式が異なる操作画面を表示することができる画像形成装置であって、
前記画像形成装置の操作画面に表示する表示手段と、
操作画面に対するユーザーの操作を検出する操作検出手段と、
前記画像形成装置にエラーが生じたことを検知するエラー検知手段と、
前記操作検出手段で検出したユーザーの操作に基づき、前記表示手段での表示を制御する制御手段とを備え、
前記制御手段は、
前記エラー検知手段がエラーを検知した場合、操作画面に少なくとも一部に重ねてエラー画面を前記表示手段に表示し、
エラーが生じる前の操作画面で使用されていた入力操作の形式と同一の形式で、前記エラー画面に対するユーザーの操作を前記操作検出手段により検出し検出結果に基づき、前記表示手段での表示を制御する、画像形成装置。
【請求項２】
前記表示手段に表示する操作画面に応じて入力操作の形式を切替える操作切替手段をさらに備え、
前記操作検出手段は、前記操作切替手段で切り替えた入力操作の形式に従い、操作画面に対するユーザーの操作を検出し、
前記操作切替手段は、エラー画面に対する入力操作の形式を、前記エラー画面が重ねて表示している操作画面の入力操作の形式と同じ形式に切り替える、請求項１に記載の画像形成装置。
【請求項３】
前記操作切替手段は、前記表示手段に表示する操作画面が第１操作画面の場合に入力操作の形式を第１形式に、前記表示手段に表示する操作画面が第２操作画面の場合に入力操作の形式を第２形式にそれぞれ切替え、
前記第１操作画面の少なくとも一部に重ねてエラー画面を表示させた場合、当該エラー画面での入力操作の形式を前記第１操作画面と同じ前記第１形式に、前記第２操作画面の少なくとも一部に重ねてエラー画面を表示させた場合、当該エラー画面での入力操作の形式を前記第２操作画面と同じ前記第２形式にそれぞれ切替える、請求項２に記載の画像形成装置。
【請求項４】
前記第１操作画面は、前記画像形成装置が有する各種機能を設定するための操作ボタンを配置した画面で、
前記第１形式は、タッチ操作形式である請求項３に記載の画像形成装置。
【請求項５】
前記第２操作画面は、前記画像形成装置が有する各種機能を実行するためのアイコンを配置した画面で、
前記第２形式は、フリック操作形式である請求項３に記載の画像形成装置。
【請求項６】
前記第２操作画面は、コピー機能、スキャン機能、ボックス機能のそれぞれを実行するためのアイコンのうちの少なくとも１つ配置されたメニュー画面を含み、
前記メニュー画面は、
ユーザーの設定に基づいてアイコンの配置を設定することができ、
複数のページに亘って複数のアイコンが配置される場合、フリック操作形式でページを切替えることできる、請求項５に記載の画像形成装置。
【請求項７】
前記制御手段は、前記フリック操作形式で切替えたページに、前記エラー検知手段で検出したエラーに基づき実行が禁止される機能に対応するアイコンが含まれる場合、当該ページにエラー画面を重ねて表示する、請求項６に記載の画像形成装置。
【請求項８】
前記制御手段は、前記エラー検知手段で検出したエラーに基づき、実行が禁止される機能に対応するアイコン、実行の一部が禁止される機能に対応するアイコン、および実行が禁止されない機能に対応するアイコンに分類し、当該分類に応じて前記メニュー画面で表示するページを異ならせる、請求項６または請求項７に記載の画像形成装置。
【請求項９】
前記制御手段は、前記エラー検知手段で検出したエラーに基づき、実行が禁止される機能に対応するアイコンを前記メニュー画面で非表示とする、請求項６に記載の画像形成装置。
【請求項１０】
前記制御手段は、前記エラー検知手段で検出したエラーに基づき、実行の一部が禁止される機能に対応するアイコンについて、実行できる部分と実行が禁止されている部分とを示す詳細情報を表示する、請求項８に記載の画像形成装置。
【請求項１１】
前記制御手段は、前記エラー画面に対するユーザーの所定の操作を前記操作検出手段が検出した場合、前記エラー画面を非表示にする、請求項１〜請求項１０いずれか１項に記載の画像形成装置。
【請求項１２】
前記制御手段は、前記エラー検知手段で検出した複数のエラーに対して各々の前記エラー画面を表示する場合、前記フリック操作形式で前記エラー画面を切替えることできる、請求項５〜請求項１０いずれか１項に記載の画像形成装置。
【請求項１３】
画像形成装置の操作画面に表示する表示手段と、操作画面に対するユーザーの操作を検出する操作検出手段と、前記画像形成装置にエラーが生じたことを検知するエラー検知手段と、前記操作検出手段で検出したユーザーの操作に基づき、前記表示手段での表示を制御する制御手段とを備える画像形成装置であって、
前記エラー検知手段がエラーを検知した場合、操作画面に少なくとも一部に重ねてエラー画面を前記表示手段に表示するステップと、
前記エラーが生じる前の操作画面で使用されていた入力操作の形式と同一の形式で、前記エラー画面に対するユーザーの操作を前記操作検出手段により検出し、前記操作検出手段により検出した前記エラー画面に対するユーザーの操作に基づき、前記表示手段での表示をするステップとを含む、表示方法。
【発明の詳細な説明】
【技術分野】
【０００１】
本開示は、入力操作の形式が異なる操作画面を表示することができる画像形成装置、表示方法に関する。
【背景技術】
【０００２】
従来、画像形成装置においてトナー残量切れまたは用紙詰まりなどのエラーが生じた場合、ユーザーに対しての警告をするため画像形成装置に備え付けられた表示装置の画面に、エラー画面を表示する技術が知られていた。ユーザーに対してわかりやすく警告するため、エラー画面は操作画面の領域を広く占有して表示することとなっていた。
【０００３】
これにより、発生しているエラーとは無関係の機能に関するボタン等が、当該エラー画面の表示によって占有されて表示することができないという事態が生じていた。
【先行技術文献】
【特許文献】
【０００４】
【特許文献１】特開２００２−３４４６８２号公報
【発明の概要】
【発明が解決しようとする課題】
【０００５】
特許文献１に開示の技術は、エラー画面に表示されたボタンをユーザーがタッチすることでエラー画面を非表示にする技術が開示されている。これにより、ユーザーはタッチ操作によりエラー画面を非表示にし、他の機能を選択し実行することができる。
【０００６】
一方で、近年の画像形成装置には、技術の発展により従来のコピー機能やＦＡＸ機能以外の様々な機能が搭載されている。これらの多数の機能の切り替えを直感的に行える操作としてフリック操作があり、当該フリック操作を操作画面に採用する画像形成装置もある。
【０００７】
しかし、フリック操作を操作画面に採用した画像形成装置では、操作画面にエラー画面が表示された場合、上述のようにエラー画面に表示されたボタンをタッチすることによって非表示にする必要がある。そのため、フリック操作中のユーザーが直感的にエラー画面を非表示にする操作に気付かない問題が生じる。また、エラー画面に表示されたボタンをタッチすることによって非表示にする操作に気付かない場合、エラー画面によりユーザーの操作が中断された状態が継続されるという問題が生じていた。
【０００８】
本開示は係る実情に鑑み考え出されたものであり、その目的は操作画面の入力操作の形式によらずエラー画面が表示された場合でも、ユーザーが直感的に対応することができ、容易に操作を継続させることができる画像形成装置、表示方法を提供することである。
【課題を解決するための手段】
【０００９】
本開示のある局面に従う入力操作の形式が異なる操作画面を表示することができる画像形成装置は、画像形成装置の操作画面に表示する表示手段と、操作画面に対するユーザーの操作を検出する操作検出手段と画像形成装置にエラーが生じたことを検知するエラー検知手段と、操作検出手段で検出したユーザーの操作に基づき、表示手段での表示を制御する制御手段とを備え、制御手段は、エラー検知手段がエラーを検知した場合、操作画面に少なくとも一部に重ねてエラー画面を表示手段に表示し、エラーが生じる前の操作画面で使用されていた入力操作の形式と同一の形式で、エラー画面に対するユーザーの操作を操作検出手段により検出し検出結果に基づき、表示手段での表示を制御する。
【００１０】
本開示のある局面に従う画像形成装置の操作画面に表示する表示手段と、操作画面に対するユーザーの操作を検出する操作検出手段と、画像形成装置にエラーが生じたことを検知するエラー検知手段と、操作検出手段で検出したユーザーの操作に基づき、表示手段での表示を制御する制御手段とを備える画像形成装置であって、エラー検知手段がエラーを検知した場合、操作画面に少なくとも一部に重ねてエラー画面を表示手段に表示するステップと、エラーが生じる前の操作画面で使用されていた入力操作の形式と同一の形式で、エラー画面に対するユーザーの操作を操作検出手段により検出し、操作検出手段により検出したエラー画面に対するユーザーの操作に基づき、表示手段での表示をするステップとを含む表示方法である。
【図面の簡単な説明】
【００１１】
【図１】画像形成装置の全体構成を示す斜視図である。
【図２】画像形成装置のハードウェア構成を示すブロック図である。
【図３】タッチ操作形式の操作画面の一例である。
【図４】タッチ操作形式のエラー画面の一例である。
【図５】フリック操作形式のメニュー画面の第１ページの一例である。
【図６】フリック操作形式のメニュー画面の第２ページの一例である。
【図７】フリック操作形式のエラー画面の一例である。
【図８】エラー画面の操作形式を決定するフローチャートである。
【図９】フリック操作形式においてエラー画面を第１ページに表示させる場合のフローチャートである。
【図１０】フリック操作形式においてエラー画面を特定のページに表示させる場合のフローチャートである。
【図１１】エラー内容と機能との関係を示すテーブルである。
【図１２】実行が禁止されない機能に対応するアイコンを表示するページの一例である。
【図１３】実行の一部が禁止される機能に対応するアイコンを表示するページの一例である。
【図１４】実行が禁止される機能に対応するアイコンを表示するページの一例である。
【図１５】実行の一部が禁止される機能に対応するアイコンにおける詳細情報を表示するページの一例である。
【発明を実施するための形態】
【００１２】
以下、図面を参照しつつ、本開示に係る技術思想の実施の形態について説明する。以下の説明では、同一の部品には同一の符号を付してある。それらの名称及び機能も同じである。したがって、それらについての詳細な説明は繰り返さない。
［実施の形態１］
＜画像形成装置の全体構成＞
図１は、本実施の形態１に従う画像形成装置１の全体構成を示す図である。図１には、画像形成装置１の典型例として、スキャナ機能、コピー機能、ファクシミリ機能、ネットワーク機能、ＢＯＸ機能といった複数の機能が搭載された複合機（ＭＦＰ：Multi Function Peripheral）について例示する。
【００１３】
本実施の形態１に従う画像形成装置１は、原稿を光学的に読取って画像データを得るスキャナ２と、画像データに基づいて用紙上に画像を印刷するプリントエンジン６とを含む。画像形成装置１の本体上面には、スキャナ２に原稿を送るフィーダ４が配置され、下部には、プリントエンジン６に用紙を供給する複数の給紙部９が配置される。また、画像形成装置１の中央部には、プリントエンジン６によって画像を形成された用紙が排紙されるトレイ８を有する。
【００１４】
画像形成装置１の本体上面の前面側（ユーザが対向する側）には、操作画面を表示するための表示面を有する操作パネル１０が装着されている。すなわち、操作パネル１０は表示手段を備えている。また操作パネル１０は、画像形成装置１を操作するための装置でもある。操作パネル１０は、操作画面に重ねられて配置されたタッチパネル等の操作検出手段を備えている。
【００１５】
操作検出手段としてタッチパネルを備える操作パネル１０を例に以下の実施の形態を説明する。タッチパネルは、ユーザーの手が接触した画面上の位置を検出することにより、ユーザーの操作を検出することができる。ユーザーの手が接触した位置の検出方式は、抵抗膜方式、静電気方式、光学方式のいずれの方式でもよく、またそれ以外の方式でもよい。
【００１６】
以下、本実施の形態１に従う詳細構造について、図を参照しつつ様々な局面から説明する。
＜画像形成装置のハードウェア構成＞
図２は、画像形成装置１のハードウェア構成を示すブロック図である。図２を参照して、画像形成装置１は、制御部１０１と、制御プログラムの格納されたＲＯＭ（Read Only Memory）１０２と、作業用のＳ−ＲＡＭ（Static Random Access Memory）１０３と、画像形成に関わる各種の設定を記憶するバッテリバックアップされたＮＶ−ＲＡＭ（Non-Volatile RAM：不揮発性メモリ）１０４と、時計ＩＣ（Integrated Circuit）１０５と、パネル制御部１０６と、電源部１０７と、画像読取装置１１０と、固定記憶装置１２０と、短距離無線Ｉ／Ｆ１３０と、画像出力装置１４０と、プリンタコントローラー１５０と、ネットワークＩ／Ｆ１６０と、WirelessＩ／Ｆ１７０と、データ送信部１８０と、操作パネル１０とを有する。各部は、バスを介して接続されている。
【００１７】
制御部１０１は、ＲＯＭ１０２等に保存されている動作プログラムを実行することにより、画像形成装置１全体を総括的に制御する。画像形成装置１に対するジョブは、操作パネル１０または、ネットワークＩ／Ｆ１６０等を介し、受け付けられる。制御部１０１は、受け付けた各ジョブの情報から処理する優先度などのジョブ管理を行っている。また、制御部１０１は、受け付けたジョブを処理するために必要な機器の制御を行っている。
【００１８】
さらに、制御部１０１では、画像形成装置１に設けたセンサ（図示せず）や、制御情報などから画像形成装置１に生じたエラーを検知するエラー検知手段としても機能している。検知するエラーには、給紙部９より給紙される用紙が詰まることにより印刷できない状態、ネットワークＩ／Ｆ１６０を介して接続されている機器との間で接続不良が生じることでデータの送受信ができない状態、および図示しないドラムユニットが交換時期に到達したことによって印刷ができない状態などが含まれる。
【００１９】
ＲＯＭ１０２には、制御部１０１が実行するプログラムやその他のデータを格納する。Ｓ−ＲＡＭ１０３は、制御部１０１がプログラムを実行する際の作業領域となるものであり、プログラムやプログラムを実行する際のデータ等を一時的に保存する。
【００２０】
ＮＶ−ＲＡＭ１０４は、バッテリーでバックアップされた不揮発メモリであり、画像形成に係わる各種の設定等を記憶するものである。
【００２１】
時計ＩＣ１０５は、時刻を計時すると共に、内部タイマーとして機能し処理時間の計測等を行う。
【００２２】
パネル制御部１０６は、操作パネル１０の表示領域に対する描画処理をする。タッチパネルで検出した操作の認識処理などを行なう操作検出手段としても機能する。また、パネル制御部１０６では、ユーザーが操作パネル１０に対して行う入力操作の形式を切り替える操作切替手段としても機能している。パネル制御部１０６は、制御部１０１からの制御信号に基づき、操作画面の操作をタッチ操作形式で入力を受け付けるのか、フリック操作形式で入力を受け付けるのかを切替える。
【００２３】
タッチ操作形式には、ユーザーがタッチパネルの所定領域を一度触れるシングルタッチ操作、短期間内に同一の領域を二度触れるダブルタッチ操作、および一定時間以上、所定の領域を触れ続けるロングタッチ操作が含まれる。フリック操作形式には、ユーザーがタッチパネルの所定領域に指を接近（接触を含む）させた状態で指を弾くような操作であるフリック操作、指を接近させた状態で指を滑らせるスワイプ操作、および指を接近させて所定位置までドラッグして指をタッチパネルから離すドラッグ＆ドロップ操作が含まれる。
【００２４】
具体的に、パネル制御部１０６は、制御部１０１からメニュー画面を操作パネル１０に表示するように制御信号を受け付けた場合、操作画面の操作をフリック操作形式に切替える。メニュー画面とは、ユーザーに画像形成装置１が有する機能をフリック操作形式で選択させるための画面である。メニュー画面は、１つ以上のページを有する。メニュー画面には画像形成装置１が有する基本的な機能であるコピー機能、スキャン機能、ボックス機能のそれぞれを実行するためのアイコンのうちの少なくとも１つを含む。
【００２５】
また、パネル制御部１０６は、制御部１０１から設定画面を操作パネル１０に表示するように制御信号を受け付けた場合、操作画面の操作をタッチ操作形式に切替える。電源部１０７は、画像形成装置１全体へ電力の供給を行なう。制御部１０１によって、省電力状態等の電力供給の方式が制御される。
【００２６】
画像読取装置１１０は、スキャナ等を備え、プラテンガラス上にセットされた原稿を走査することによって読み取り、読み取った原稿を画像データに変換する。
【００２７】
固定記憶装置１２０は、ハードディスク等からなり、プログラムや各種データ等を保存する。
【００２８】
短距離無線Ｉ／Ｆ１３０は、他の装置と短距離無線通信をする。
画像出力装置１４０は、複写画像を用紙上に形成する。
【００２９】
プリンタコントローラー１５０は、ネットワークＩ／Ｆ１６０により受信したプリントデータから複写画像を生成する。
【００３０】
ネットワークＩ／Ｆ１６０は、ネットワークを介して接続されたＰＣ（図示せず）および他の画像形成装置（図示せず）をはじめとする外部装置との間で各種の情報を送受信する。
【００３１】
WirelessＩ／Ｆ１７０は、無線信号を介して他の装置との間で情報を送受信する。
データ送信部１８０は、ネットワークＩ／Ｆ１６０等で接続された他機器等へデータの送信を行う。
【００３２】
操作パネル１０は、ユーザーに対する情報を表示する表示手段として機能する。ユーザーの操作に基づいて表示する情報を動的に変える。また、操作パネル１０は、操作画面に対して入力された操作を検出する操作検出手段としても機能する。タッチ操作形式による操作、フリック操作形式による操作を検出することができる。
【００３３】
すなわち、操作パネル１０がタッチ操作形式の操作を検出するかフリック操作形式での操作を検出するかは、表示している画面に依存する。例えば、表示している画面がメニュー画面であるならばフリック操作形式の操作を検出する。
【００３４】
これに対して、画像形成装置１が有する機能の設定に関する操作画面の場合、タッチ操作形式で操作を検出する。このようにいずれの入力操作形式で操作を検出するかは、画面が遷移する度に、パネル制御部１０６によって切り替えられる。
【００３５】
したがって、メニュー画面をフリック操作形式で操作中に制御部１０１がエラーを検知しタッチ操作形式のエラー画面が表示された場合、ユーザーは入力操作形式を変えて操作しなければならない。また、フリック操作形式とタッチ操作形式とにおける操作方法は大きく異なるため、ユーザーは直感的にエラー画面の操作に移ることができない。
【００３６】
エラー画面は他の操作画面と比べて表示されることが少ない。さらに、通常の操作画面からエラー発生に伴って突然表示される。ユーザーは見慣れない画面が突然表示され、直前と同様の入力操作形式で操作を試みるも操作パネル１０は適切に操作を検出できない。したがって、ユーザーは操作を継続できない可能性がある。これにより、実質的に発生しているエラーとは無関係の機能までもが、制限されることとなり問題である。そこで、本実施の形態１では、以下で示すようにエラー画面を入力操作形式ごとにそれぞれ用意し、適切な場面で表示させることでユーザーの操作性の向上を図る。
＜入力操作形式ごとの操作画面およびエラー画面＞
本実施の形態の画像形成装置１は、タッチ操作形式とフリック操作形式とを入力操作形式として備える。以下にそれぞれの入力操作形式で操作される画面の一例を説明する。図３は、タッチ操作形式の操作画面の一例である。
【００３７】
設定画面２００は、操作パネル１０で表示することができる画面の全体に表示される。図３では、ユーザーがコピー機能の設定をするための情報が表示されている。ユーザーは、出力内容２０２または部数表示２０３等を確認し、アイコン群２０１をタッチすることでコピー機能における詳細設定を設定する。例えば、ユーザーは原稿画質を示すアイコンをタッチする。これにより設定画面２００は原稿画質に関する設定画面に遷移し、ユーザーは設定の操作ができる。また、ユーザーはカラーを示すアイコンをタッチすることでカラー設定の操作ができる。図３で示される設定画面２００は、アイコン群２０１をタッチして操作するタッチ操作形式の画面である。
【００３８】
逆に言えば、設定画面２００では、フリック操作形式でのユーザーの操作が認識されない。すなわち、画面の遷移のためにページ自体をスワイプしても画面が遷移することはない。パネル制御部１０６によって入力操作形式を、設定画面２００と対応したタッチ操作形式に切り替えられているためである。
【００３９】
設定画面２００が表示されているときに制御部１０１がエラーを検知した場合、パネル制御部１０６は、設定画面２００の入力操作の形式と同一の形式で、エラー画面を重ねて表示を制御する。以下、重ねて表示されたエラー画面について説明する。
【００４０】
図４は、タッチ操作形式のエラー画面の一例である。タッチ操作形式で操作できるエラー画面２１０は、ドラムユニットが交換時期に達したことによって一部の機能が制限されるというエラー画面である。エラー画面２１０は、設定画面２００同様、操作パネル１０で表示することができる画面の全体を占めてもよいし、設定画面２００のうちの少なくとも一部に重ねて表示してもよい。
【００４１】
エラー内容表示２１１は、エラー画面２１０がドラムユニットの交換エラーに伴って表示されたことを示す。エラー位置表示２１３は、制御部１０１がエラーを検知した位置を画像形成装置１の図を用いて表示し、ユーザーに対してエラーの解除を促す。エラー画面２１０の入力操作形式は上述の通りタッチ操作形式であるため、ユーザーはガイダンススタートボタン２１２、ボックスボタン２１４、ファクス／スキャンボタン２１５、閉じるボタン２１６をタッチすることによって操作する。
【００４２】
ガイダンススタートボタン２１２は、エラー解除のガイダンスを表示するためのボタンである。パネル制御部１０６は、ガイダンススタートボタン２１２がタッチされたとき、現在発生しているエラーを解除するためのガイダンスを表示する画面へとエラー画面２１０から遷移させる。
【００４３】
ボックスボタン２１４は、ボックス機能を実行させるためのボタンである。パネル制御部１０６は、ボックスボタン２１４がタッチされたとき、ボックス機能を実行するための画面へと遷移させる。また、ファクス／スキャンボタン２１５についても同様にファクス／スキャン機能を実行するための画面へと遷移させる。
【００４４】
ボックス機能とファクス／スキャン機能とは、ドラムユニット交換のエラーとは無関係であり、画像形成装置１はエラー発生中においても実行することが可能である。したがって、エラー画面２１０上にこれらのボタンを配置することで、ボックス機能とファクス／スキャン機能とが実行可能であることを、ユーザーに対して明示的に表示している。
【００４５】
閉じるボタンは、エラー画面２１０を非表示にするためのボタンである。パネル制御部１０６は、閉じるボタンがタッチされたとき、エラー画面２１０を非表示にして、通常の操作画面へと遷移する。すなわち、エラー画面２１０が表示される前に表示されていた設定画面２００が表示される。
【００４６】
エラー画面２１０はユーザーからのタッチ操作形式における操作のみを受け付ける。タッチ操作形式である設定画面２００からエラー画面２１０に遷移したためである。これにより、一貫した入力操作形式を維持できるのでユーザーは直感的にエラー画面の操作をすることができる。
【００４７】
次に、フリック操作形式の画面において制御部１０１がエラーを検知した場合について説明する。図５は、フリック操作形式のメニュー画面の第１ページの一例である。メニュー画面２２０は、操作パネル１０で表示することができる画面の全体に表示される。メニュー画面２２０には、コピー１のアイコン２２１、プリント２のアイコン２２２、スキャン１のアイコン２２３、ジョブリストのアイコン２２４、ＦＡＸ１のアイコン２２５、プリント１のアイコン２２６、ボックス１のアイコン２２７、スキャン２のアイコン２２８が配置されている。
【００４８】
インジゲーター２２９は、メニュー画面が有するページ数と現在表示しているページ番号を示す。インジゲーター２２９は、メニュー画面が合計２ページを有し、黒い丸記号が左から数えて１番目に位置していることから現在１ページ目を表示していることを示している。
【００４９】
コピー１のアイコン２２１は、コピー機能を実行するためのアイコンである。パネル制御部１０６は、コピー１のアイコン２２１がタッチされることにより、コピー機能を実行するための画面（本実施の形態１において設定画面２００）へと遷移させる。コピーに関するアイコンは、コピー１のアイコン２２１のほかにコピー２のアイコンまたはコピー３のアイコンなどを含んでもよく、全てコピーに関する機能を実行するためのアイコンであるが、それぞれ特有の機能を持ったり、あらかじめユーザーにより設定された状態をデフォルトで実行できたりしてもよい。本実施の形態１では、コピー２のアイコン２３２が存在し、これについて後述で説明する。
【００５０】
プリント２のアイコン２２２は、プリント機能を実行するためのアイコンである。パネル制御部１０６は、プリント２のアイコン２２２がタッチされることで、プリント機能を実行するための画面へと遷移させる。コピーに関するアイコン同様、他のプリントに関するアイコンであるが設定等が相違するプリント１のアイコン２２６が存在する。以降、同様の理由でスキャンに関するアイコン、ボックスに関するアイコンについても同じ機能を実行するための複数のアイコンが存在する。
【００５１】
ジョブリストのアイコン２２４は、ジョブリストを表示するためのアイコンである。パネル制御部１０６は、ジョブリストのアイコン２２４がタッチされることで図示しないジョブリスト画面へと遷移させる。ジョブリスト画面とは、現在もしくは過去のジョブ情報を一覧として表示する画面である。
【００５２】
ＦＡＸ１のアイコン２２５は、ＦＡＸ機能を実行するためのアイコンである。パネル制御部１０６は、ＦＡＸ１のアイコン２２５がタッチされることでＦＡＸ機能を実行するための画面へと遷移させる。
【００５３】
残りの表示領域にプリント１のアイコン２２６と、ボックス１のアイコン２２７と、スキャン２のアイコン２２８が配置され、合計８個のアイコンがメニュー画面２２０に配置されている。
【００５４】
メニュー画面２２０は、フリック操作形式で操作することができるため、ユーザーのフリック操作を受け付けることができる。具体的にユーザーは、メニュー画面の一部分を横方向にスワイプ操作をする。これにより、パネル制御部１０６は、メニュー画面を第１ページから第２ページへと遷移させる。
【００５５】
図６は、フリック操作形式のメニュー画面の一例である。メニュー画面２３０は、操作パネル１０で表示することができる画面の全体に表示される。パネル制御部１０６は、ユーザーのスワイプ操作に伴ってメニュー画面２２０をスライドさせメニュー画面２３０を遷移させる。
【００５６】
図６には、ＦＡＸ２のアイコン２３１と、コピー２のアイコン２３２と、ボックス２のアイコン２３３が配置されている。図６におけるインジゲーター２３４は、黒い丸記号が左側から数えて２番目に移動していることから現在表示されているページがメニュー画面の第２ページであることを示している。
【００５７】
メニュー画面２２０とメニュー画面の第２ページは、フリック操作形式で入力することができる画面である。したがって、これらのメニュー画面が表示されているときに制御部１０１がエラーを検知した場合、パネル制御部１０６は、メニュー画面の入力操作の形式と同一の形式で、エラー画面の表示を制御する。
【００５８】
図７は、フリック操作形式のエラー画面の一例である。フリック操作形式で操作できるエラー画面２４０は、ユーザーがメニュー画面を操作中にドラムユニットが交換時期に達したことにより一部の機能が制限されるというエラーを表示する画面である。エラー画面２４０は、メニュー画面同様、操作パネル１０で表示することができる画面の全体を占めてもよいし、メニュー画面のうちの少なくとも一部に重ねて表示してもよい。エラー内容表示２４１とガイダンススタートボタン２４２とエラー位置表示２４３とは、エラー画面２１０と同様であるため、説明を繰り返さない。
【００５９】
インジゲーター２４４は、エラー画面２４０が重ねて表示されたことによりページ数が１つ増えたことを示す。すなわち、丸記号の数が２つから３つに増加している。本実施の形態１では、メニュー画面を表示しているときに制御部１０１がエラーを検知した場合、制御部１０１は、エラー画面２４０をメニュー画面の最も初めのページに表示させる。ユーザーはエラー画面２４０の一部分をスワイプ操作することでエラー画面２４０を非表示にすることができる。スワイプ操作後、メニュー画面２２０が表示される。
【００６０】
また、エラーが複数発生した場合、エラー画面を他のエラー画面に重ねて表示することができる。例えば、制御部１０１がトナー切れのエラーは検知した場合、トナー切れの新たなエラー画面が新たなページとして追加される。エラー画面２４０をスワイプすることで、トナー切れのエラー画面が表示される。
【００６１】
このように、フリック操作形式のメニュー画面を表示しているときに、制御部１０１がエラーを検知した場合、エラー画面２４０を重ねて表示することで、ユーザーは同様の入力形式で直感的に画面の遷移をすることができる。突如表示されたエラー画面に対しても非表示にする操作が可能となり、ユーザーは図４の閉じるボタン２１６を探す必要がない。これにより、ユーザーは直感的にエラー画面に対応することができ、容易に操作を継続させることができる。
＜エラー画面の操作形式を決定するフローチャート＞
図３〜図７に示した操作画面において表示されるエラー画面の操作形式を決定する方法について説明する。図８は、エラー画面の操作形式を決定するフローチャートである。以下、フローチャートにしたがって、エラー画面の操作形式を決定する処理を説明する。
【００６２】
制御部１０１は、エラーを検知する（ステップＳ１）。制御部１０１は、現在フリック操作形式の操作画面を表示しているか判断する（ステップＳ２）。現在フリック操作形式の操作画面を表示している場合（ステップＳ２でＹＥＳ）、制御部１０１は、フリック操作形式のエラー画面を重ねて表示するように制御し（ステップＳ３）、処理を終了する（ステップＳ５）。
【００６３】
現在フリック操作形式の操作画面を表示していない場合（ステップＳ２でＮＯ）、制御部１０１は、タッチ操作形式のエラー画面を表示するように制御し、（ステップＳ４）処理を終了する（ステップＳ５）。
＜フリック操作形式でのエラー画面の表示＞
図５に示したメニュー画面で、制御部１０１がエラーを検知した場合、図７に示すエラー画面は表示中のメニュー画面に新たなページとして表示され、表示中のページが繰り下がる。エラー画面をメニュー画面のページをめくるスワイプ操作で非表示にしてメニュー画面に戻すことができる。図９は、フリック操作形式においてエラー画面を表示させる場合のフローチャートである。以下、フローチャートにしたがって、フリック操作形式においてエラー画面を表示させる場合の処理を説明する。
【００６４】
制御部１０１は、操作パネル１０にメニュー画面を表示させる（ステップＳ６）。制御部１０１は、初期メニュー画面である第１ページを表示する（ステップＳ７）。制御部１０１は、エラーを検知しているか判断する（ステップＳ８）。エラーを検知している場合（ステップＳ８でＹＥＳ）、制御部１０１は、フリック操作形式のエラー画面を新たなページとして追加して表示し、（ステップＳ９）ステップＳ１０へ移行する。
【００６５】
エラーを検知していない場合（ステップＳ８でＮＯ）、制御部１０１は、画面遷移操作を受け付けたかを判断する（ステップＳ１０）。画面遷移操作を受け付けていない場合（ステップＳ１０でＮＯ）、制御部１０１は処理を終了する（ステップＳ１４）。画面遷移操作を受け付けた場合（ステップＳ１０でＹＥＳ）、制御部１０１は、次ページが存在するか判断する（ステップＳ１１）。
【００６６】
次ページが存在する場合、制御部１０１は、次ページをメニュー画面に表示する（ステップＳ１２）。次ページが存在しない場合（ステップＳ１１でＮＯ）、制御部１０１は、第１ページである初期メニュー画面を表示する（ステップＳ７）。最終ページに達し次に表示するページが存在しないため第１ページである初期メニュー画面に表示する（ステップＳ７）。
【００６７】
ステップＳ１２の後に、制御部１０１は、画面遷移操作を受け付けたか判断する（ステップＳ１３）。画面遷移操作を受け付けた場合（ステップＳ１３でＹＥＳ）、制御部１０１は、ステップＳ１２へと戻る。画面遷移操作を受け付けていない場合（ステップＳ１３でＮＯ）、制御部１０１は処理を終了する（ステップＳ１４）。
［変形例］
実施の形態１では、フリック操作形式のエラー画面をメニュー画面の第１ページに重ねて表示した。しかし、画面遷移操作が受け付けられた場合に次のページに発生しているエラーに基づいて実行が禁止される機能に対応するアイコンが含まれる場合、フリック操作形式のエラー画面を重ねて表示してもよい。
【００６８】
これにより、発生しているエラーと関係がある操作をする可能性のある場合にのみエラー画面を表示することができる。以下、図５と図６を用いて具体的な例を示す。
【００６９】
画像形成装置１において、ＦＡＸ２のアイコンに対応する機能のみが制限されるエラーが発生したと仮定する。当該エラーは、ＦＡＸ１のアイコンを含めたその他の全てのアイコンに対応する機能には影響を与えない。すなわち、ＦＡＸ２のアイコンに対応する機能以外の全ての機能が実行可能である。
【００７０】
ユーザーによりメニュー画面が表示された場合、図５で示すメニュー画面の第１ページが表示される。このとき、図９で示す制御においては、ステップＳ９においてエラー画面が表示される。しかし、本変形例においてはこの時点においてエラー画面は表示されない。
【００７１】
次に、ユーザーは図５で示すメニュー画面２２０から図６で示すメニュー画面２３０へと画面遷移する操作をする。メニュー画面２３０にはＦＡＸ２のアイコンが含まれる。このとき、図７で示すフリック操作形式で操作できるエラー画面２４０が表示される。ユーザーがＦＡＸ２アイコンを操作する可能性があるためである。
【００７２】
本変形例では、エラー画面に対する入力操作の形式をフリック操作形式としたままエラー画面を特定のページに表示させる。これにより、発生しているエラーによって実行が制限される機能を実行するユーザーに対しては特定のページでエラー画面を表示することができる。
【００７３】
以下、エラー画面を特定のページに表示させる処理について説明する。図１０は、フリック操作形式においてエラー画面を特定のページに表示させる場合のフローチャートである。
【００７４】
制御部１０１は、操作パネル１０にメニュー画面を表示させる（ステップＳ１５）。制御部１０１は、初期メニュー画面である第１ページを表示する（ステップＳ１６）。制御部１０１は、画面遷移操作を受け付けたかを判断する（ステップＳ１７）。
【００７５】
画面遷移操作を受け付けた場合（ステップＳ１７でＹＥＳ）、制御部１０１はエラー検知手段がエラーを検知し、かつ検知したエラーに基づいて実行が禁止される機能に対応するアイコンが次のページに含まれるか判断する（ステップＳ１８）。エラー検知手段がエラーを検知し、かつ検知したエラーに基づいて実行が禁止される機能に対応するアイコンが次のページに含まれる場合（ステップＳ１８でＹＥＳ）、制御部１０１は、フリック操作形式のエラー画面を表示し（ステップＳ２０）、ステップＳ１７へと戻る。
【００７６】
エラー検知手段がエラーを検知し、かつ検知したエラーに基づいて実行が禁止される機能に対応するアイコンが次のページに含まれない場合（ステップＳ１８でＮＯ）、制御部１０１は次のページを表示し（ステップＳ１９）、ステップＳ１７へと戻る。画面遷移操作を受け付けていない場合（ステップＳ１７でＮＯ）、制御部１０１は処理を終了する（ステップＳ２１）。
【００７７】
なお、ステップＳ１６において初期メニュー画面を表示するときに、既にエラーが検知され初期メニュー画面に当該エラーに基づいて実行が禁止される機能に対応するアイコンが含まれる場合、初期メニュー画面に重ねてフリック操作形式のエラー画面を表示してもよい。
＜小括＞
以上のように、本実施の形態１に係る画像形成装置１は、画像形成装置１の操作画面に表示する操作パネル１０と、操作画面に対するユーザーの操作を検出する操作検出手段（パネル制御部１０６）と、画像形成装置にエラーが生じたことを検知するエラー検知手段（制御部１０１）と、操作検出手段で検出したユーザーの操作に基づき、操作パネル１０での表示を制御する制御手段とを備える。
【００７８】
制御部１０１は、エラー検知手段がエラーを検知した場合、操作画面に少なくとも一部に重ねてエラー画面を操作パネル１０に表示し、エラーが生じる前の操作画面で使用されていた入力操作の形式と同一の形式で、エラー画面に対するユーザーの操作を操作検出手段により検出し検出結果に基づき、操作パネル１０での表示を制御する。
【００７９】
これによれば、本実施の形態１に係る画像形成装置１は、エラー画面の入力操作形式をエラーが生じる前の操作画面で使用されていた入力操作の形式と同一の形式とすることにより、ユーザーが直感的に対応することができ、容易に操作を継続させることができる。
【００８０】
また、操作パネル１０に表示する操作画面に応じて入力操作の形式を切替える操作切替手段（パネル制御部１０６）をさらに備え、操作検出手段は、操作切替手段で切り替えた入力操作の形式に従い、操作画面に対するユーザーの操作を検出し、操作切替手段は、エラー画面に対する入力操作の形式を、エラー画面が重ねて表示している操作画面の入力操作の形式と同じ形式に切り替えてもよい。
【００８１】
これによれば、操作切替手段は、操作画面に応じて入力操作の形式を切り替え、当該入力操作の形式に従ってユーザーの操作を検出できる。また、エラー画面に対しても入力の操作形式を、重ねて表示している操作画面と同一の形式に切り替える。さらに、操作切替手段は、操作パネル１０に表示する操作画面が第１操作画面の場合に入力操作の形式を第１形式に、操作パネル１０に表示する操作画面が第２操作画面の場合に入力操作の形式を第２形式にそれぞれ切替え、第１操作画面の少なくとも一部に重ねてエラー画面を表示させた場合、当該エラー画面での入力操作の形式を第１操作画面と同じ第１形式に、第２操作画面の少なくとも一部に重ねてエラー画面を表示させた場合、当該エラー画面での入力操作の形式を第２操作画面と同じ第２形式にそれぞれ切替えてもよい。
【００８２】
これによれば、第１操作画面の少なくとも一部に重ねてエラー画面を表示させた場合、エラー画面を第１操作画面と同一の第１形式で入力操作することができ、第２操作画面の少なくとも一部に重ねてエラー画面を表示させた場合、エラー画面を第２操作画面と同一の第２形式で入力操作することができる。
【００８３】
また、第１操作画面は、画像形成装置が有する各種機能を設定するための操作ボタンを配置した画面で、第１形式は、タッチ操作形式である。これによれば、各種機能を設定するための操作ボタンを配置した画面の入力操作形式は、タッチ操作形式である。
【００８４】
さらに、第２操作画面は、画像形成装置が有する各種機能を実行するためのアイコンを配置した画面で、第２形式は、フリック操作形式である。これによれば、各種機能を実行するためのアイコンを配置した画面の入力操作形式は、フリック操作形式である。
【００８５】
また、第２操作画面は、コピー機能、スキャン機能、ボックス機能のそれぞれを実行するためのアイコンのうちの少なくとも１つ配置されたメニュー画面を含み、メニュー画面は、ユーザーの設定に基づいてアイコンの配置を設定することができ、複数のページに亘って複数のアイコンが配置される場合、フリック操作形式でページを切替えてもよい。
【００８６】
これによれば、メニュー画面においてユーザーはフリック操作形式でページを切り替えられ、直感的に操作できる。
【００８７】
さらに、制御部１０１は、フリック操作形式で切替えたページに、エラー検知手段で検出したエラーに基づき実行が禁止される機能に対応するアイコンが含まれる場合、当該ページにエラー画面を重ねて表示してもよい。
【００８８】
また、制御部１０１は、エラー画面に対するユーザーの所定の操作を操作検出手段が検出した場合、エラー画面を非表示にしてもよい。これによれば、ユーザーは、スワイプ操作することでエラー画面を非表示にすることができる。
【００８９】
さらに、制御部１０１は、エラー検知手段で検出した複数のエラーに対して各々の前記エラー画面を表示する場合、フリック操作形式でエラー画面を切替えてもよい。これによれば、ユーザーは複数のエラーが発生した場合に、フリック操作形式でエラー画面を切り替え表示させることができる。
【００９０】
また、実施の形態１に係る表示方法は、画像形成装置の操作画面に表示する操作パネル１０と、操作画面に対するユーザーの操作を検出する操作検出手段と、画像形成装置にエラーが生じたことを検知するエラー検知手段と、操作検出手段で検出したユーザーの操作に基づき、操作パネル１０での表示を制御する制御部１０１とを備える画像形成装置であって、エラー検知手段がエラーを検知した場合、操作画面に少なくとも一部に重ねてエラー画面を操作パネル１０に表示するステップと、エラーが生じる前の操作画面で使用されていた入力操作の形式と同一の形式で、エラー画面に対するユーザーの操作を操作検出手段により検出し、操作検出手段により検出したエラー画面に対するユーザーの操作に基づき、操作パネル１０での表示をするステップとを含む。
【００９１】
これによれば、エラー画面の入力操作形式をエラーが生じる前の操作画面で使用されていた入力操作の形式と同一の形式とすることにより、ユーザーが直感的に対応することができ、容易に操作を継続させることができる。
［実施の形態２］
実施の形態１に係る画像形成装置１では、メニュー画面においてユーザーが配置したアイコンの位置を維持したままエラー画面を表示した。変形例では、エラーが発生したことによって実行が制限されるアイコンを含むページが表示される場合にのみエラー画面を表示した。
【００９２】
本実施の形態２に係る画像形成装置では、制御部がエラーを検知した場合、各アイコンをエラーが生じたことで実行可能か否かに基づいて分類する。分類ごとにページを構成することで、ユーザーが、どのアイコンが実行可能であるかを直感的に理解できる。なお、実施の形態２に係る画像形成装置において、図１〜図７に示す実施の形態１に係る画像形成装置１と同じ構成については、同じ符号を付して詳細な説明を繰返さない。
【００９３】
エラーが発生した場合、各アイコンは、実行が制限される機能、影響がないとして実行が制限されない機能、または一部の機能が制限される機能に分類することができる。実施の形態１において、メニュー画面を表示中にエラーが発生した場合、所定の位置にエラー画面を表示した。この場合、ユーザーがどのアイコンの機能が実行可能かを把握するためには、アイコンを押下してからでなければ把握することができない。
【００９４】
そこで、本実施の形態２ではエラー発生後、ユーザーに直感的に実行可能なアイコンと実行可能でないアイコンを把握させるため、アイコンを分類してページを分けて再配置する。これにより、ユーザーは実行できる機能を同一のページで把握することができ、ユーザーの操作性が向上する。以下、アイコンの分類方法について説明する。
＜アイコンの分類＞
図１１は、エラー内容と機能との関係を示すテーブルである。当該テーブルは、ＮＶ−ＲＡＭ１０４等に記憶されている。当該テーブルは、制御部１０１が検知したエラーと画像形成装置１が有する機能との関係を示す。すなわち、当該テーブルはエラーが発生したことによってどの機能がどのように制限されるか、または制限されないかを定義している。
【００９５】
図１１に示すテーブルにはエラー内容に関して、ドラムユニットが交換時期に達したことを意味する「ドラムユニット交換時期」のエラーと、トナー残量が印刷をするために十分でないことを意味する「トナー切れ」エラーが記憶されている。さらに、当該テーブルは、スキャナ２に原稿を送るフィーダ４等の原稿読取装置が故障していることを意味する「原稿読取り故障」エラーと、固定記憶装置１２０等が故障し、データの読み書きができなくなることを意味する「ＨＤＤ故障」エラーが記憶されている。
【００９６】
図１１に示すテーブルには画像形成装置１が有する機能に関して、コピー機能、プリント機能、スキャン機能、ボックス機能、ジョブリスト機能、ＦＡＸ機能が記憶されている。コピー１機能とコピー２機能は、同様にコピー機能を実行するが、それぞれが有する機能または詳細な設定において相違するため区別されている。ジョブリスト以外のその他の機能に関しても、同様に区別されている。本実施の形態２の図１１では上述のエラーおよび機能のみを表示しているが、当該テーブルは他のエラーおよび機能についても記憶する。
【００９７】
以下、「ドラムユニット交換時期」のエラーと他の機能の関係について説明する。コピー機能の実行時、図示しないドラムユニットを用いて印刷処理をする。したがって、「ドラムユニット交換時期」のエラーが生じている場合、コピー１機能とコピー２機能は一切の機能が実行できないとして、両者の交点に×記号が付される。同様の理由により、印刷処理を行うプリント機能に関しても両者の交点に×記号が付される。
【００９８】
これに対して、スキャン機能は図示しないドラムユニットを用いずに処理が実行可能である。すなわち、「ドラムユニット交換時期」のエラーが生じている場合であっても、全く機能が制限されることなく、スキャン機能が実行可能である。したがって、スキャン１機能およびスキャン２機能と「ドラムユニット交換時期」のエラーの交点には○記号が付されている。
【００９９】
ボックス機能は、ユーザーに対して画像形成装置１に記憶された文書ファイル等を操作する機能である。ユーザーは、選択した文書ファイルを印刷したり、他の端末にデータ送信したりすることができる。印刷に関して、図示しないドラムユニットを用いることとなるため、実行が制限される。しかし、他の端末への文書ファイルを送信する場合、データ送信部１８０によって、文書ファイルが送信される。したがって、ドラムユニットを用いることなく実行可能である。ボックス機能は、一部の機能が制限され一部の機能が実行可能であるとし、両者の交点には△記号が付される。
【０１００】
同様に「トナー切れ」エラーに関しても、それぞれの機能がトナーを用いるか否かで○記号、×記号、△記号が付される。各機能が、実行するために用いる部品はあらかじめ定められているが、後からユーザーによって設定されてもよい。例えば、ＦＡＸ１のアイコンは、ユーザーによってＦＡＸ送信のみの機能が実行できると設定されたＦＡＸ送信専用のアイコンである。これに対して、ＦＡＸ２のアイコンは、ＦＡＸの送信と受信のどちらも実行可能なアイコンである。
【０１０１】
この場合、ＦＡＸ１のアイコンはＦＡＸ送信のみを実行するのでドラムユニットを用いることはなく機能が一切制限されず、○記号が付される。しかし、ＦＡＸ２のアイコンは、ＦＡＸ受信の際、受信した内容を印刷する機能を有しており、その際、ドラムユニットを用いる。したがって、ＦＡＸ２のアイコンには一部の機能が制限されるため、△記号が付される。
【０１０２】
画像形成装置１は様々な機能を有する機器であるため、多くの部品を有する。そのため、様々なエラーが発生する可能性があり、各エラーで制限される機能が相違する。したがって図１１のテーブルで、エラー内容と機能との関係を管理することで、アイコンを分類することができる。
＜分類後の各ページ＞
エラーが発生した場合、図１１に示したテーブルを用いてアイコンが分類される。制御部１０１は、発生したエラーに基づいてアイコンを分類し、分類に応じてメニュー画面で表示するページを異ならせる。
【０１０３】
以下、図１２〜１４を用いて分類したアイコンを表示するページについて説明する。図１２は、実行が禁止されない機能に対応するアイコンを表示するページの一例である。図１３は、実行の一部が禁止される機能に対応するアイコンを表示するページの一例である。図１４は、実行が禁止される機能に対応するアイコンを表示するページの一例である。
【０１０４】
分類後の各ページを説明するにあたって、まず「ドラムユニット交換時期」のエラーが発生したと仮定し図１１で示すテーブルを参照する。「ドラムユニット交換時期」のエラーが発生した場合に、実行が禁止されない機能は、スキャン１機能、スキャン２機能、ジョブリスト機能、ＦＡＸ１機能である。エラー発生時に、ユーザーが最も利用する可能性の高い機能は、実行が禁止されない機能であり、これらの機能に対応するアイコンを表示するページをエラー画面の次のページに表示する。
【０１０５】
したがって、図１２で示す実行が禁止されない機能に対応するアイコンを表示するページは、メニュー画面の第２ページに表示される。メニュー画面２５０には、ジョブリストのアイコン２５１、スキャン１のアイコン２５２、スキャン２のアイコン２５３、ＦＡＸ１のアイコン２５４が配置されている。
【０１０６】
エラー発生時に、実行が禁止されない機能に次いでユーザーが実行する可能性が高いのは実行の一部が禁止される機能である。図１２で示す実行が禁止されない機能に対応するアイコンを表示するページの次ページには、図１３で示す実行の一部が禁止される機能に対応するアイコンを表示するページを表示する。
【０１０７】
図１１を参照して、「ドラムユニット交換時期」のエラーが発生した場合に、実行の一部が禁止される機能は、ボックス１機能、ボックス２機能、ＦＡＸ２機能である。したがって、図１３で表示するメニュー画面２６０には、ボックス１のアイコン２６１、ボックス２のアイコン２６２、ＦＡＸ２のアイコン２６３が配置される。メニュー画面２６０は、第３ページに表示される。
【０１０８】
最後に、実行が禁止される機能に対応するアイコンを表示するページを、メニュー画面２６０の次のページに表示する。「ドラムユニット交換時期」のエラーが発生した場合に、実行が禁止される機能は、コピー１機能、コピー２機能、プリント１機能、プリント２機能である。したがって、図１４で示すメニュー画面２７０には、コピー１のアイコン２７１と、コピー２のアイコン２７２と、プリント１のアイコン２７３と、プリント２のアイコン２７４が配置されている。
【０１０９】
制御部１０１は、検知されたエラーに基づいてアイコンを分類し、分類に応じてメニュー画面で表示するページを異ならせている。また、ユーザーは、これらのメニュー画面はエラー画面と同一の操作形式であるスワイプ操作によって画面の切り替えが行われる。これにより、ユーザーは直感的にエラー発生に対応することができる。さらに、本実施の形態２では、アイコンが分類されて表示されることにより、ユーザーは直感的にどのアイコンが実行可能であるかを把握することができ、操作性が向上する。
【０１１０】
また、当該アイコンの分類による配置はエラーが解除されたことに伴って、分類前のメニュー画面の配置に戻る。
［変形例］
実施の形態２において、制御部１０１がエラーを検知した場合、各アイコンは、図１１に基づいて分類された。実行が禁止される機能に対応するアイコン、実行の一部が禁止される機能に対応するアイコン、および実行が禁止されない機能に対応するアイコンに分類されるが、実行が禁止される機能に対応するアイコンについてエラー発生時において実行をすることがないため、操作パネル１０に表示する必要性もない。
【０１１１】
したがって、実施の形態２において図１４で示すメニュー画面２７０を表示しなくてもよい。これにより、実行される可能性のない機能に対応するアイコンを表示することがなくなる。また、実施の形態２においては、アイコンの分類後に分類に応じて表示するページを異ならせたが、実施の形態１のようにアイコンの配置を変えず、実行される可能性のない機能に対応するアイコンのみを非表示にすることとしてもよい。
＜小括＞
以上のように、本実施の形態１に係る画像形成装置１の制御部１０１は、エラー検知手段で検出したエラーに基づき、実行が禁止される機能に対応するアイコン、実行の一部が禁止される機能に対応するアイコン、および実行が禁止されない機能に対応するアイコンに分類し、当該分類に応じてメニュー画面で表示するページを異ならせる。
【０１１２】
これにより、発生したエラーに基づいてアイコンを分類し、分類ごとにアイコンを配置したページを表示する。
【０１１３】
制御部１０１は、エラー検知手段で検出したエラーに基づき、実行が禁止される機能に対応するアイコンをメニュー画面で非表示としてもよい。これにより、実行する可能性ないアイコンを非表示にすることができる。
［実施の形態３］
実施の形態２において、アイコンは実行が禁止される機能に対応するアイコン、実行の一部が禁止される機能に対応するアイコン、および実行が禁止されない機能に対応するアイコンに分類された。実行の一部が禁止される機能に対応するアイコンは、分類されたことによって機能の一部の禁止をユーザーに把握させることはできたが、当該機能のうちのどの処理の実行が禁止され、どの処理の実行が禁止されないのかを把握させることはできない。
【０１１４】
本実施の形態３においては、制御部１０１がエラーを検知し、実行の一部が禁止される機能に対応するアイコンをメニュー画面に表示するとき、アイコンの図柄を替える。アイコンの図柄に替え、当該アイコンに対応する機能のうちの実行が禁止される処理と、実行が禁止されない処理とを示す詳細情報を表示する。ユーザーに、アイコンをタッチさせずにユーザーの求める処理が実行できるかを把握させる。
【０１１５】
図１５は、実行の一部が禁止される機能に対応するアイコンにおける詳細情報を表示するページの一例である。図１５で示すメニュー画面２８０は、制御部１０１がエラーを検知し、アイコンを分類して配置した後に表示する図１３で示すメニュー画面２６０に対応する。
【０１１６】
制御部１０１が検知したエラーは、「ドラムユニット交換時期」のエラーである。図１１に従って、実行の一部が禁止される機能に対応するアイコンとして、ボックス１のアイコンと、ボックス２のアイコンと、ＦＡＸ２のアイコンが表示される。「ドラムユニット交換時期」のエラーが発生していることによって、画像形成装置１は、印刷の処理が実行できない。しかし、ボックス機能の他機器へのデータ送信処理や、ＦＡＸ機能のＦＡＸ送信処理に関しては当該エラーの影響を受けず、実行可能である。
【０１１７】
したがって、それぞれのアイコンの図柄に替えて、「○送信×印刷」といった詳細情報を表示することで、どの処理が禁止されどの処理が禁止されないかをユーザーに把握させることができる。図柄の下部には、アイコン名を表示しているため、ユーザーはどの図柄がどのアイコンに対応しているか把握できる。
【０１１８】
また、本実施の形態３では、実施の形態２と同様に分類に応じてページを異ならせた場合において詳細情報を表示しているが、実施の形態１で示すようにアイコンの配置を維持したまま、実行の一部が禁止される機能に対応するアイコンの図柄を詳細情報として表示してもよい。
【０１１９】
さらに、アイコンの図柄に替えて表示するだけでなく、図柄に重ねて、または図柄とともに詳細情報を表示などしてもよい。また、アイコンの図柄をロングタッチ操作することで詳細情報を表示するとしてもよい。
＜小括＞
制御部１０１は、エラー検知手段で検出したエラーに基づき、実行の一部が禁止される機能に対応するアイコンについて、実行できる部分と実行が禁止されている部分とを示す詳細情報を表示してもよい。
【０１２０】
これによれば、実行の一部が禁止される機能に対応するアイコンのどの処理の実行が禁止され、どの処理の実行が禁止されないかの詳細情報をユーザーにメニュー画面で把握させることができる。
【符号の説明】
【０１２１】
１  画像形成装置、２  スキャナ、４  フィーダ、６  プリントエンジン、８  トレイ、９  給紙部、１０  操作パネル、１０１  制御部、１０２  ＲＯＭ、１０４  ＲＡＭ、１０６  パネル制御部、１０７  電源部、１２０  固定記憶装置、１４０  画像出力装置、１５０  プリンタコントローラー、１６０  ネットワークＩ／Ｆ、１８０  データ送信部、２００  設定画面、２１０，２４０  エラー画面、２２０，２３０，２５０，２６０，２７０，２８０  メニュー画面、２２１〜２２８，２５１〜２５３，２７１〜２７４  アイコン。
【図１】
2020155885.tif 000003
【図２】
2020155885.tif 000004
【図３】
2020155885.tif 000005
【図４】
2020155885.tif 000006
【図５】
2020155885.tif 000007
【図６】
2020155885.tif 000008
【図７】
2020155885.tif 000009
【図８】
2020155885.tif 000010
【図９】
2020155885.tif 000011
【図１０】
2020155885.tif 000012
【図１１】
2020155885.tif 000013
【図１２】
2020155885.tif 000014
【図１３】
2020155885.tif 000015
【図１４】
2020155885.tif 000016
【図１５】
2020155885.tif 000017